(57)【要約】【課題】  ユーザが紙幣や有価証券等、特定の複製禁止画像を複製しようとした場合、特定の管理者へその旨を通知するとともに、印刷装置のパフォーマンスを劣化させる、異常動作を行う、他のジョブを実行する、自動メンテナンス動作を開始する、のいずれか又は複数の動作を行うことにより、複製禁止が画像を複製しようとしているユーザに警戒されること無しに印刷終了までの時間を延ばすことによって、複製禁止画像の複製を試みたユーザの特定・捕捉することのできる印刷装置及び印刷システムを提供する。【解決手段】  画像データに特定画像が含まれているか否かを検知する、特定画像検知手段と、前記特定画像検知手段が特定画像を検知した場合、特定の管理者に特定画像が印刷が行われている旨を通知する、特定画像印刷通知手段を備える。【選択図】  図１
2006133485.tif 000002
【特許請求の範囲】
【請求項１】
画像形成装置において、出力すべき画像データに特定画像が含まれているか否かを検知する特定画像検知手段と、前記特定画像検知手段が出力すべきデータに特定画像が含まれていることを検知した場合、管理者に特定画像を含む画像が印刷されようとしていることを通知する、特定画像印刷通知手段とを有することを特徴とする画像形成装置。
【請求項２】
前記特定画像検知手段が出力すべきデータに特定画像が含まれていることを検知した場合、印刷速度を通常の印刷速度よりも劣化させる、印刷速度劣化手段を有することを特徴とする請求項１の画像形成装置。
【請求項３】
本来外部インターフェースを通じて通知される印刷ジョブを印刷装置内に予め格納しておく印刷ジョブ格納手段と、前記特定画像検知手段が出力すべきデータに特定画像が含まれていることを検知した場合、前記印刷ジョブ格納手段により格納されている印刷ジョブを実行する格納印刷ジョブ実行手段を有することを特徴とする請求項１の画像形成装置。
【請求項４】
前記特定画像検知手段が出力すべきデータに特定画像が含まれていることを検知した場合、自動メンテナンス機能を動作させる、自動メンテナンス機能動作手段を有することを特徴とする請求項１の画像形成装置。
【請求項５】
前記特定画像検知手段が出力すべきデータに特定画像が含まれていることを検知した場合、異常動作を行う、異常発生手段を有することを特徴とする請求項１の画像形成装置。
【請求項６】
画像形成装置において、入力された画像データに特定画像が含まれているか否かを検知する入力時特定画像検知手段と、前記特定画像検知手段が出力すべきデータに特定画像が含まれていることを検知した場合、管理者に特定画像を含む画像が入力されたことを通知する、特定画像入力通知手段とを有することを特徴とする画像形成装置。
【請求項７】
前記入力時特定画像検知手段が入力したデータに特定画像が含まれていることを検知した場合、印刷速度を通常の印刷速度よりも劣化させる、印刷速度劣化手段を有することを特徴とする請求項６の画像形成装置。
【請求項８】
本来外部インターフェースを通じて通知される印刷ジョブを印刷装置内に予め格納しておく印刷ジョブ格納手段と、前記入力時特定画像検知手段が入力したデータに特定画像が含まれていることを検知した場合、前記印刷ジョブ格納手段により格納されている印刷ジョブを実行する格納印刷ジョブ実行手段を有することを特徴とする請求項６の画像形成装置。
【請求項９】
前記入力時特定画像検知手段が入力データに特定画像が含まれていることを検知した場合、自動メンテナンス機能を動作させる、自動メンテナンス機能動作手段を有することを特徴とする請求項６の画像形成装置。
【請求項１０】
前記入力時特定画像検知手段が入力したデータに特定画像が含まれていることを検知した場合、異常動作を行う、異常発生段を有することを特徴とする請求項６の画像形成装置。
【発明の詳細な説明】
【技術分野】
【０００１】
本発明は画像形成装置及び画像形成システム関する。
【背景技術】
【０００２】
近年、高精細なカラー複写機やカラープリンタの普及し、容易に高画質の印刷物を作成できるようになっている。さらに、これら高精細のカラー複写機やカラープリンタが、一般のオフィスや、近隣のコンビニエンスストアー等、不特定多数のユーザが使用できる環境に設置されるようになってきているため、従来であれば、専門の印刷業者でなければ不可能のであった印刷を、誰も簡単に得られるようになってきた。
【０００３】
このような技術の普及に伴い、高精細な複写機やプリンタを使用して紙幣や有価証券等の偽造行為を防止する、さらに偽造を行った人物を特定する技術が社会的に求められてきている。
【０００４】
この偽造防止技術に関して、これまでにもいくつかの提案がなされてきている。例えば、印刷対象となるデジタル画像情報に特定の紙幣や有価証券等の画像が含まれているかどうかを検出する画像認識技術や、出力画像に人間の目では識別できないように特定の情報を重畳させておき、偽造が行われた場合に偽造物から偽造経路を追跡する技術等である。
【０００５】
しかしながら、上記従来技術では不特定多数のユーザが使用できる環境化に印刷機器が設置された状況で、偽造行為が行われた場合、偽造の行われた機器の特定までは可能であるが、偽造を行った人物を特定・捕捉、することが非常に困難であるといった問題がある。
【０００６】
本発明は、上記問題を解決するためになされたものであり、あるユーザが紙幣や有価証券等、特定の複製禁止画像を複製しようとした場合、特定の管理者へその旨を通知するとともに、印刷装置のパフォーマンスを劣化させる、異常動作を行う、他のジョブを実行する、自動メンテナンス動作を開始する、のいずれか又は複数の動作を行うことにより、複製禁止が画像を複製しようとしているユーザに警戒されること無しに印刷終了までの時間を延ばすことによって、複製禁止画像の複製を試みたユーザの特定・捕捉することを目的とする。（特許文献１参照）
【特許文献１】特開平９−３１２７６４号公報
【発明の開示】
【発明が解決しようとする課題】
【０００７】
特定画像を検知した場合、違反を起こしているユーザに知らせることなく、管理者に通知する。
【課題を解決するための手段】
【０００８】
上記目的を達成するために本発明の印刷装置は以下の構成を備える。即ち、画像データに特定画像が含まれているか否かを検知する、特定画像検知手段と、前記特定画像検知手段が特定画像を検知した場合、特定の管理者に特定画像が印刷が行われている旨を通知する、特定画像印刷通知手段を備える。
【０００９】
また、本発明の印刷装置は以下の構成を備える、即ち、前記特定画像検知手段が特定画像を検知した場合、画像処理装置の印刷速度を通常の印刷速度よりも劣化させる、印刷速度劣化手段を備える。
【００１０】
また、本発明の印刷装置は以下の構成を備える、即ち、本来外部インターフェースを通じて通知される印刷ジョブを印刷装置内に予め格納しておく印刷ジョブ格納手段と、前記特定画像検知手段が特定画像を検知した場合、前記印刷ジョブ格納手段により格納されている印刷ジョブを実行する、格納印刷ジョブ実行手段を備える。
【００１１】
また、本発明の印刷装置は以下の構成を備える、即ち、前記特定画像検知手段が特定画像を検知した場合、自動メンテナンス機能を動作させる、自動メンテナンス機能動作手段を備える。
【００１２】
また、本発明の印刷装置は以下の構成を備える、即ち、前記特定画像検知手段が特定画像を検知した場合、異常動作を行う異常動作発生手段を備える。
【００１３】
かかる構成において、ユーザが紙幣や有価証券等、特定の複製禁止画像を複製しようとした場合、特定の管理者へその旨を通知するとともに、印刷装置のパフォーマンスを劣化させる、異常動作を行う、他のジョブを実行する、自動メンテナンス動作を開始する、のいずれか又は複数の動作を行うことにより、複製禁止が画像を複製しようとしているユーザに警戒されること無しに印刷終了までの時間を延ばすことによって、複製禁止画像の複製を試みたユーザの特定・捕捉することのできる印刷装置及び印刷システムを提供する。
【発明の効果】
【００１４】
本発明によれば、ユーザが紙幣や有価証券等、特定の複製禁止画像を複製しようとした場合、特定の管理者へその旨を通知するとともに、印刷装置のパフォーマンスを劣化させる、異常動作を行う、他のジョブを実行する、自動メンテナンス動作を開始する、のいずれか又は複数の動作を行うことにより、複製禁止が画像を複製しようとしているユーザに警戒されること無しに印刷終了までの時間を延ばすことによって、複製禁止画像の複製を試みたユーザの特定・捕捉することのできるという効果がある。
【発明を実施するための最良の形態】
【００１５】
（第１実施例）
本実施例を適用するに好適なカラー複合画像形成装置１００の構成について図１を参照しながら説明する。なお、本実施例を適用する、画像形成装置は、カラー複合画像形成装置のみならず、プリンタ単体機、複写機単体機、ＦＡＸ単体機及びこれらの白黒機器の場合であっても適用可能なことは言うまでもない。
【００１６】
図１は、本発明の適用可能な、カラー複合画像形成装置の構成を示す側断面図である。
【００１７】
図中、２０１はイメージスキャナ部で、原稿を読み取り、デジタル信号処理を行う。２００はプリンタ部で、イメージスキャナ２０１読み取った画像及び、コントローラ部１０００で生成処理された画像を用紙にフルカラーで印刷出力する。
【００１８】
イメージスキャナ部２０１において、２０２は原稿圧板を兼ねたデジタイザである。デジタイザ２０２は、スキャン動作前にその上に載置された原稿２０４の所望の点を、付属のペンで押すことにより原稿上の領域を指定するのに用いられる。
【００１９】
以下、イメージスキャナ部２０１の構成及び原稿読み取り動作を説明する。
【００２０】
原稿台ガラス（以下「プラテン」と称す。）２０３上に原稿２０４を置き、操作部１０１０より複写又は読み取り動作のスタートを指示すると、ハロゲンランプ２０５からの光で原稿２０４が照射される。原稿からの反射光はミラー２０６、２０７に導かれ、レンズ２０８により３ラインセンサ（以下「ＣＣＤ」と称す。）２１０上に結像する。
【００２１】
ＣＣＤ２１０は光情報をレッド（Ｒ）、グリーン（Ｇ）、ブルー（Ｂ）成分に分解し、その光情報を表わす信号を図示されない増幅回路によって増幅した後、画像信号処理部２０９に送る。
【００２２】
なお、ハロゲンランプ２０５、ミラー２０６は速度ｖで、ミラー２０７は速度（１／２）ｖでラインセンサの電気的走査方向（以下、「主走査方向」と称す。）に対して垂直方向（以下、「副走査方向」と称す。）に機械的に動き、原稿全面を走査する。
【００２３】
画像信号処理部２０９では、読み取られた信号を電気的に処理し、原稿種にしたがった適切な画像処理がおこなわれ、ビデオ信号としてコントローラ部１０００に送る。
【００２４】
コントローラ部１０００はカラー複合画像形成装置１００内の各機器の制御を統括すると共に、主に外部から通知されるＰＤＬデータ、ＦＡＸデータ、リモートプリントデータ及びイメージスキャナ部２０１から通知される画像データから、印刷するべき画像データを生成し、プリンタ部２００へマゼンダ（Ｍ）、シアン（Ｃ）、イエロー（Ｙ）、ブラック（ＢＫ）の各ビデオ信号として通知する。
【００２５】
以下、プリント部２００の構成及び印刷動作を説明する。
【００２６】
プリンタ部２００に送られたビデオ信号は、レーザドライバ２１２でレーザ駆動信号に変換され、半導体レーザ（不図示）を駆動する。レーザ光はポリゴンミラー２１４、ｆ−θレンズ２１５、ミラー２１６を介し、帯電器２１１によって一様な電位に帯電された感光ドラム２１７上を走査して静電潜像を形成する。
【００２７】
２１９〜２２２は現像器であり、マゼンタ現像器２１９、シアン現像機２２０、イエロー現像器２２１、ブラック現像器２２２より構成される。これら４つの現像器が交互に感光ドラム２１７に接し、感光ドラム２１７上に形成されたＭ、Ｃ、Ｙ、ＢＫ各色成分に対応した静電潜像を対応するトナーで現像する。
【００２８】
２２３は転写ドラムで、用紙カセット２２４または２２５より給紙された用紙を転写ドラム２２３に巻き付け、感光ドラム２１７上に現像されたトナー像を用紙に転写する。
【００２９】
このようにしてＭ、Ｃ、Ｙ、ＢＫの４色によって形成された画像が順次転写された後に、用紙は定着ユニット２２６を通過して排紙される。
【００３０】
図２はコントローラ部１０００上に構成されるカラー複合画像形成装置の制御システムを説明するブロック図である。なお本発明の機能が実行されるのであれば単体の機器であっても、複数の機器からなるシステムであっても、ＬＡＮ等のネットワークを介して処理が行われるシステムであっても本発明を適用できることは言うまでもない。
【００３１】
コントローラ部において、１００１はＣＰＵで、ＲＯＭ１００３のプログラム用ＲＯＭに記憶された制御プログラム等或いはハードディスク（ＨＤ）１００６に記憶され、起動時にＲＡＭ１００２にロードされる制御プログラム等に基づいてシステムバス１００４に接続される各種のデバイスとのアクセスを総括的に制御する。
【００３２】
このＣＰＵ１００１の主な制御内容として、イメージスキャナ部２０１からのビデオ信号入力をスキャナＩ／Ｆを介して受取りＲＡＭ１００２に形成するイメージバッファへ格納をおこなう、また、外部ネットワーク２０００からＩ／Ｏ１００７を介して入力されるＰＤＬ等の印刷用データを解釈しＲＡＭ１００２に形成するイメージバッファへ画像を形成する、また、電話回線２００１から入力されるＦＡＸデータをＦＡＸ部１００９で解釈しＲＡＭ１００２に形成するイメージバッファへ画像を形成する、また、ＲＡＭ１００２上のイメージバッファ上の出力画像を、印刷部インターフェース１００８を介して接続されるプリント部（プリンタエンジン）２００に出力情報として、Ｙ、Ｃ、Ｍ、Ｂｋの各ビデオ信号を出力する。
【００３３】
ＲＯＭ１００３のプログラムＲＯＭには、図３のフローチャートで示されるようなＣＰＵ１００１の制御プログラム等を記憶する。ＲＯＭ１００３のデータＲＯＭには、例えば紙幣や有価証券などの特定画像の特徴を抽出したリファレンスデータ等を記憶する。ＣＰＵ１００１はＩ／Ｏ１０１２を介して、外部ネットワーク２０００に接続されている図示されないホストコンピュータ等の外部機器との通信処理が可能である。なお、外部機器との通信を外部ネットワーク２０００を介して行うとしているが、図示しない直接インターフェースを介して外部機器と接続し、通信を行っても良いことは言うまでもない。１００２はＣＰＵ１２の主メモリ、ワークエリア等として機能するＲＡＭで、図示しない増設ポートに接続されるオプションＲＡＭによりメモリ容量を拡張することができるように構成されている。なお、ＲＡＭ１００２は、ＰＤＬ画像、ＦＡＸ画像、スキャン画像が記憶されるイメージバッファ領域、環境データ格納領域等に用いられる。前述したＨＤ１００６は、メモリコントローラ（ＭＣ）１００５によりアクセスを制御される。ＨＤ１００６は、ＰＤＬデータ解析時に使用するフォントデータ等の格納や、ＲＡＭ１００２のイメージバッファ内画像の一時保存等に使用される。また、１０１０は前述した操作部であり、操作のためのスイッチおよびＬＥＤ表示器等が配置されている。
【００３４】
特定画像検知部１０１１は前記ＲＯＭ１００３のデータＲＯＭに格納されている、リファレンスデータを使用して前記ＲＡＭ１００２に形成されているイメージバッファ内の画像とパターンマッチングを行い、前記イメージバッファ内の画像に前記登録されている特定画像が含まれているか否かを判定する。なお、前記リファレンスデータを、ＨＤ１００６又はＲＡＭ１００２上に格納しておき、サービスマンや管理者によってデータの変更・追加をできるようにしてもよい。
【００３５】
このように構成された、カラー複合画像形成装置の制御システムにおいて３図のフローチャートにしたがって本発明の実施例を説明する。
【００３６】
本発明のカラー複合画像形成装置において、操作部１０１０の操作により又は外部ネットワーク２０００上のホストからの指示によりコピー動作が指示されると、イメージスキャナ部２０１で前述の処理により原稿が読み取られ、コントローラ部１０００にビデオ信号として入力画像が通知される。
【００３７】
コントローラ部１０００では通知された入力画像を、ＲＡＭ１００２上に形成するイメージバッファに格納する。
【００３８】
また、本発明のカラー複合画像形成装置に、外部ネットワーク２０００からＰＤＬ等画像データが通知されると、コントローラ部１０００においてＣＰＵ１００１は、入力されたデータに対応するＰＤＬ解析プログラムを起動してＰＤＬデータの解析、ラスタライズ処理を行い、ラスタライズされた画像をＲＡＭ１００２上に形成するイメージバッファに格納する。
【００３９】
また、本発明のカラー複合画像形成装置に、電話回線２００１を通じてＦＡＸデータが通知されると、コントローラ部１０００においてＣＰＵ１００１はＦＡＸ部１００９を使用して、ＦＡＸデータから画像を作成し、画像をＲＡＭ１００２上に形成するイメージバッファに格納する。
【００４０】
さらに、前記イメージバッファ上に形成された各画像は、ＲＡＭ１００２のワーク領域、ＨＤ１００６等を利用してＣＰＵ１００１が画像の合成及びＮｕｐ処理等を行い、イメージバッファ上に再形成される場合もある。
【００４１】
このように、形成された画像は３図のフローチャートに従い特定画像の検知が行なわれた後、印刷部インターフェース６を介してプリント部２００で印刷処理が行なわれる。
【００４２】
ステップＳ１０１では特定画像検知部において、前記イメージバッファ内に格納されている画像に特定画像含まれているか否かを判定する。
【００４３】
特定画像が含まれていない場合は通常の印刷処理を行い（Ｓ１２４）終了する（Ｓ１２５）。特定画像が含まれている場合は、ステップＳ１０２へ進む。ステップＳ１０２では予め管理者により登録されている端末へネットワークを通じて特定画像が印刷されようとしている旨を含むメッセージを送信しステップＳ１０３へ進む。前記メッセージを受けた端末では、管理者へ認知させるべく端末の画面上に警告音とともにポップアップウィンドウを表示する。なお、本例では登録された端末へメッセージを通知するとしているが、電子メールアドレスを登録しておき登録されている電子メールアドレスに特定画像が印刷されようとしている旨を含む電子メールを送信するようにしてもよい。
【００４４】
通知すべき端末や管理者は、予めサービスマン又は管理者によって、操作部１０１０の操作又は外部ネットワーク２０００上の図示されないホストの操作により登録されている。また、登録される端末、管理者は１つだけでなく複数であってもかまわない。複数登録されている場合は登録されているすべての端末、管理者へ通知が行なわれる。
【００４５】
ステップＳ１０３では、印刷時の遅延動作としてどの動作を行うかを決定しステップＳ１０４に進む。
【００４６】
本実施例では選択可能な遅延動作として、異常動作、自動メンテナンス動作、パフォーマンス劣化、割り込みジョブの実行を実行可能である。さらに異常動作としては、トナー無し、用紙無し及び強制ジャム、自動メンテナンス動作としては、キャリブレーション、トナー攪拌、ワイヤクリーニング、割り込みジョブとしては、ＰＤＬジョブ、ＦＡＸジョブ、リモートプリントジョブを選択できる。
【００４７】
遅延動作選択アルゴリズムとしては本実施例では、前記遅延動作の各項目をナンバリングし、そのナンバーのうちひとつをランダムに選択する。選択されたナンバーとＤＯ：１〜ＤＯ：１０のそれぞれのビットフィールド対応させ、対応するビットフィールドに“ＴＲＵＥ”を書き込み、選択されていないナンバーに対応するビットフィールドにはすべて“ＦＡＬＳＥ”を書き込む。なお、本実施例ではランダムにひとつを選択するとしているが、ランダムに複数個選択するようにしてもよい。何らかのアルゴリズムに基づいて１つ以上の動作を選択するようにしてもよいことは言うまでもない。
【００４８】
ステップＳ１０４では、ビットフィールドＤＯ：１の状態を確認し“ＴＲＵＥ”であればステップＳ１０５に進み、“ＦＡＬＳＥ”であれステップＳ１０６に進む。
【００４９】
ステップでＳ１０５では操作部１０１０にトナーの有無にかかわらずトナー無しの警告を出し、トナーの補給を促しステップＳ１０６に進む。
【００５０】
ステップＳ１０６では、ビットフィールドＤＯ：２の状態を確認し“ＴＲＵＥ”であればステップＳ１０７に進み、“ＦＡＬＳＥ”であれステップＳ１０８に進む。
【００５１】
ステップＳ１０７では操作部１０１０に用紙の有無にかかわらず用紙無しの警告を出し、用紙の補給を促しステップＳ１０８へ進む。
【００５２】
ステップＳ１０８では、ビットフィールドＤＯ：３の状態を確認し“ＴＲＵＥ”であればステップＳ１０９に進み、“ＦＡＬＳＥ”であれステップＳ１１０に進む。
【００５３】
ステップＳ１０９では、操作部１０１０にキャリブレーション実行中の表示を行いキャリブレーションを実行しステップＳ１１０へ進む。
【００５４】
ステップＳ１１０では、ビットフィールドＤＯ：４の状態を確認し“ＴＲＵＥ”であればステップＳ１１１に進み、“ＦＡＬＳＥ”であれステップＳ１１２に進む。
【００５５】
ステップＳ１１１では、操作部１０１０にトナー攪拌実行中の表示を行いトナー攪拌を実行しステップＳ１１２へ進む。
【００５６】
ステップＳ１１２では、ビットフィールドＤＯ：５の状態を確認し“ＴＲＵＥ”であればステップＳ１１３に進み、“ＦＡＬＳＥ”であれステップＳ１１４に進む。
【００５７】
ステップＳ１１３では操作部１０１０にワイヤクリーニング中の表示を行いワイヤクリーニングを実行しステップＳ１１４へ進む。
【００５８】
ステップＳ１１４では、ビットフィールドＤＯ：６の状態を確認し“ＴＲＵＥ”であればステップＳ１１５に進み、“ＦＡＬＳＥ”であれステップＳ１１６に進む。
【００５９】
ステップＳ１１５ではディレイフラグを設定しステップＳ１１６へ進む。通常の印刷処理時、即ちステップＳ１０１でイメージバッファ中の画像に特定画像が含まれていないと判断された場合、であれば、印刷部への給紙タイミングは本印刷装置の印刷処理が最速で行われるように制御されているが、前記ディレイフラグが設定されている場合は給紙タイミングをＴ秒遅らせパフォーマンスを劣化させる。
【００６０】
ステップＳ１１６では、ビットフィールドＤＯ：７の状態を確認し“ＴＲＵＥ”であればステップＳ１１７に進み、“ＦＡＬＳＥ”であれステップＳ１１８に進む。
【００６１】
ステップＳ１１７では、ジャムフラグを設定しステップＳ１１８へ進む。印刷処理時にジャムフラグが設定されている場合、印刷処理中に用紙搬送モータを停止させることにより強制的にジャムを発生させる。
【００６２】
ステップＳ１１８では、ビットフィールドＤＯ：８の状態を確認し“ＴＲＵＥ”であればステップＳ１１９に進み、“ＦＡＬＳＥ”であれステップＳ１２０に進む。
【００６３】
ステップＳ１１９では予めＨＤ１００６に格納されているＰＤＬデータを割り込みジョブとして実行を開始しステップＳ１２０へ進む。
【００６４】
ステップＳ１２０では、ビットフィールドＤＯ：９の状態を確認し“ＴＲＵＥ”であればステップＳ１２１に進み、“ＦＡＬＳＥ”であれステップＳ１２２に進む。
【００６５】
ステップＳ１２１では予めＨＤ１００６に格納されているＦＡＸデータを割り込みジョブとして実行を開始しステップＳ１２２へ進む。
【００６６】
ステップＳ１２２では、ビットフィールドＤＯ：１０の状態を確認し“ＴＲＵＥ”であればステップＳ１２３に進み、“ＦＡＬＳＥ”であれステップＳ１２４に進む。
【００６７】
ステップＳ１２３では予めＨＤ１００６に格納されているリモートプリントデータを割り込みジョブとして実行を開始しステップＳ１２４へ進む。
【００６８】
ステップ１２４では、前記イメージバッファにある画像の印刷処理を行い終了する（Ｓ１２５）。
【００６９】
（第２実施例）
第２実施例は第１実施例と、特定画像検知を行うタイミングのみを変更したものである。
【００７０】
第１の実施例ではコントローラ部１０００で出力用の画像がイメージバッファに形成された後、特定画像検知部において特定画像の検知を行うようにしているが、特定画像の検知は、カラー複合画像形成装置に入力された画像であればどの段階で行っても同様の効果を得ることができる。
【００７１】
すなわち、イメージスキャナ部２０１で画像が入力される場合には、画像信号処理部２０９の直前にＣＣＤ出力を使用してパターンマッチングを行う特定画像検知部を挿入し、ＣＣＤ出力に対して特定画像の検知を行ってもよいし、画像信号処理部２０９の直後にビデオ信号を使用してパターンマッチングを行う特定画像検知部を挿入し、ビデオ信号に対して特定画像の検知を行うようにしてもよい。
【００７２】
外部ネットワークからＰＤＬ等の画像データが入力される場合や電話回線からＦＡＸデータとして画像が入力される場合には、コントローラ部１０００内でＲＡＭ１００２上に画像が形成された直後に特定画像の検知を行ってもよい。
【００７３】
本実施例のいずれの場合でも、特定画像の検知を行った結果は特定画像検知フラグとしてＲＡＭ１００２上に格納し、前記ステップＳ１０１での判定時に、前記特定画像検知フラグを見て入力画像に特定画像が含まれていると判断されている場合には前記ステップＳ１０２へ進み、含まれていないと判断されている場合にはステップ前記Ｓ１２４へ進む。
【図面の簡単な説明】
【００７４】
【図１】本発明を適用可能な実施例のカラー複合画像形成装置の構成を示す断面図である。
【図２】本発明の実施例を示すコントローラ部の構成を説明するブロック図である。
【図３】本発明の実施例の動作を示すフローチャートである。
【符号の説明】
【００７５】
２００  プリンタ部
２０１  イメージスキャナ部
１０００  コントローラ部
１００１  ＣＰＵ
１００２  ＲＡＭ
１０１１  特定画像検知部
２０００  外部ネットワーク
【図１】
2006133485.tif 000003
【図２】
2006133485.tif 000004
【図３】
2006133485.tif 000005